(57)【要約】【課題】歯槽骨への固定強度を高めることができる人工歯根及び歯科用インプラントを提供する。【解決手段】本発明の人工歯根は、ねじ孔を備える人工歯根本体と、該ねじ孔を介して該人工歯根本体に螺合される固定補助手段と、を備え、上記固定補助手段はねじ状体であり、上記人工歯根本体の内部から外部に向けて上記ねじ孔から螺挿により上記歯槽骨又は顎骨に埋入されることを特徴とする。また、本発明の歯科用インプラントは、本発明の人工歯根と、該人工歯根本体の基端部側の端に固定されるアバットメントと、該アバットメントに固定される歯冠と、を備えることを特徴とする。【選択図】図１
2009233179.tif 000002
【特許請求の範囲】
【請求項１】
ねじ孔を備える人工歯根本体と、該ねじ孔を介して該人工歯根本体に螺合される固定補助手段と、を備え、
上記固定補助手段はねじ状体であり、上記人工歯根本体の内部から外部に向けて上記ねじ孔から螺挿により上記歯槽骨又は顎骨に埋入されることを特徴とする人工歯根。
【請求項２】
上記人工歯根本体は先端が封鎖された筒体である請求項１に記載の人工歯根。
【請求項３】
上記人工歯根本体に備える上記ねじ孔は、該ねじ孔に螺合される上記固定補助手段が、上記人工歯根本体の基端から先端に延びる軸方向に対して、先端方向でかつ斜め方向となるように開けられており、
上記人工歯根本体の軸方向と、上記ねじ孔に螺合される上記固定補助手段の軸方向とのなす角度が１０〜６０度である請求項１又は２に記載の人工歯根。
【請求項４】
上記ねじ孔が上記人工歯根本体の側壁部に設けられている請求項１乃至３のいずれか１項に記載の人工歯根。
【請求項５】
上記ねじ孔が上記人工歯根本体の基端部に設けられている請求項１乃至３のいずれか１項に記載の人工歯根。
【請求項６】
上記ねじ孔が上記人工歯根本体の先端部に設けられている請求項１乃至３のいずれか１項に記載の人工歯根。
【請求項７】
上記ねじ孔が複数である請求項１乃至６のいずれか１項に記載の人工歯根。
【請求項８】
上記ねじ孔が複数である場合に、ねじ孔の各々が放射状に且つ周方向に均一に開口されている請求項７に記載の人工歯根。
【請求項９】
上記人工歯根本体の基端部に上記固定補助手段の突出方向を示す方向指示マークが形成されている請求項１乃至８いずれか１項に記載の人工歯根。
【請求項１０】
請求項１乃至９のいずれか１項に記載の人工歯根と、該人工歯根本体の基端部側の端に固定されるアバットメントと、該アバットメントに固定される歯冠と、を備えることを特徴とする歯科用インプラント。
【発明の詳細な説明】
【技術分野】
【０００１】
本発明は、欠損歯の修復治療の一つであるインプラント治療に用いられる人工歯根及び歯科用インプラントに関し、さらに詳しくは、歯槽骨又は顎骨に対する固定を必要に応じて強化できる人工歯根及びインプラントに関する。
【背景技術】
【０００２】
虫歯や歯周病などによって欠損した歯を修復するためには、できるだけ天然歯に近い人工歯を入れて噛む機能を蘇らせることが望ましい。その治療方法として、歯根部となる人工歯根を顎の歯槽骨の中に埋め込んで、その人工歯根に上部構造物の歯冠を装填するインプラント治療が注目されている。このインプラント治療方法は、処置後のメンテナンスさえ行っていれば半永久的な歯となり、有効な治療方法である。
インプラント治療で用いられる歯科用インプラントとしては、一般に１本の人工歯根と、該人工歯根に固定されるアバットメントと、該アバットメントに固定される歯冠と、を備えたものが採用される。人工歯根は歯槽骨に埋め込まれ、歯槽骨が人工歯根の周囲で安定期間（治癒期間）中に育成し、その結果、埋め込まれた人工歯根は最終的に歯槽骨にしっかりと固定される。そして、人工歯根にアバットメントと称する支台部が連結され、そのアバットメントの上に新しい歯冠を装着する。
嘗ては、上記安定期間として人工歯根が歯槽骨にしっかりと固定される期間が必要であり、通常下あごで約３ケ月、上あごの場合には約６ケ月が必要とされていた。
更に、インプラント治療を受けられる人の歯槽骨の量及び厚み、並びにあごの骨のくびれなどの形態は様々であり、上記のような歯科用インプラントでは、人工歯根が１本のみであるので、十分な固定を得られない場合がある。また、上顎の大臼歯のように歯槽骨が脆弱である場合にも固定力が不十分で他の部位に比べて寿命が短くなる恐れがある。
これを解決するために、例えば、図１０に示すように、複数の等間隔に配置された人工歯根１００と、これらの人工歯根１００により歯槽骨に固定される歯根台座部１０１と、該歯根台座部１０１に固定されるアバットメント１０２と、を備えた歯科用インプラント１０３が開示されている（特許文献１参照）。
【０００３】
しかし、上述した歯科用インプラント１０３では、複数の人工歯根１００が設けられているため全体として大型化してしまう。このため、適用範囲が大臼歯等の大きい歯に限定されてしまう。これを防止するために人工歯根１００を細くすることが考えられるが、それでは十分な固定力を得ることができず、強度が低く破損の恐れがある。
【０００４】
【特許文献１】特開２０００−２５２８３６号公報
【発明の開示】
【発明が解決しようとする課題】
【０００５】
本発明は、上記現状に鑑みてなされたものであり、大型化を伴うことなく歯槽骨又は顎骨への固定強度を高めることができる人工歯根及び歯科用インプラントを提供することを目的とする。また、人工歯根の歯槽骨又は顎骨への固定強度が高められることにより、人工歯根及び歯科用インプラントの寿命を延ばすことができ、更に、人工歯根が歯槽骨又は顎骨に埋め込まれた後、安定期間を要せずに、あるいは大幅に短縮し、アバットメントと歯冠とを装着することができる。
【課題を解決するための手段】
【０００６】
本発明は、以下の通りである。
１．ねじ孔を備える人工歯根本体と、該ねじ孔を介して該人工歯根本体に螺合される固定補助手段と、を備え、上記固定補助手段はねじ状体であり、上記人工歯根本体の内部から外部に向けて上記ねじ孔から螺挿により上記歯槽骨又は顎骨に埋入されることを特徴とする人工歯根。
２．上記人工歯根本体は先端が封鎖された筒体である上記１．に記載の人工歯根。
３．上記人工歯根本体に備える上記ねじ孔は、該ねじ孔に螺合される上記固定補助手段が、上記人工歯根本体の基端から先端に延びる軸方向に対して、先端方向でかつ斜め方向となるように開けられており、
上記人工歯根本体の軸方向と、上記ねじ孔に螺合される上記固定補助手段の軸方向とのなす角度が１０〜６０度である上記１．又は上記２．に記載の人工歯根。
４．上記ねじ孔が上記人工歯根本体の側壁部に設けられている上記１．乃至３のいずれか１項に記載の人工歯根。
５．上記ねじ孔が上記人工歯根本体の基端部に設けられている上記１．乃至３のいずれか１項に記載の人工歯根。
６．上記ねじ孔が上記人工歯根本体の先端部に設けられている上記１．乃至３のいずれか１項に記載の人工歯根。
７．上記ねじ孔が複数である上記１．乃至６のいずれか１項に記載の人工歯根。
８．上記ねじ孔が複数である場合に、ねじ孔の各々が放射状に且つ周方向に均一に開口されている上記７．に記載の人工歯根。
９．上記人工歯根本体の基端部に上記固定補助手段の突出方向を示す方向指示マークが形成されている上記１．乃至８いずれか１項に記載の人工歯根。
１０．上記１．乃至９のいずれか１項に記載の人工歯根と、該人工歯根本体の基端部側の端に固定されるアバットメントと、該アバットメントに固定される歯冠と、を備えることを特徴とする歯科用インプラント。
【発明の効果】
【０００７】
本発明の人工歯根によると、歯槽骨又は顎骨との固定を強化する固定補助手段を設けているので、人工歯根を複根化することができ、人工歯根の固定強度を高めることができる。また、人工歯根の固定強度を高めることにより、人工歯根と歯槽骨又は顎骨とをしっかり固定させるための安定期間を短くすることができる。更に、人工歯根の寿命を延ばすことができる。
また、固定補助手段がねじ状体で、人工歯根本体の内部から外部に向けて突出する場合は、人工歯根本体には外部に向けてねじ孔が開けられており、そのねじ孔から固定補助手段を回転させて人工歯根本体から歯槽骨又は顎骨へ埋入し、埋入後に固定補助手段を回転させて人工歯根本体の外部に突出させ、歯槽骨又は顎骨に食い込ませる。このため、従来のように人工歯根を増加することがなく、人工歯根の固定強度を高めることができ、大型化することも抑制できる。
また、人工歯根本体の先端が封鎖された筒体である場合は、固定補助手段を人工歯根に格納した状態で人工歯根本体を歯槽骨又は顎骨に埋入することができる。そして、埋入後に固定補助手段を回転させて人工歯根本体の外部に突出させ、歯槽骨又は顎骨に食い込ませる。このため、人工歯根本体の歯槽骨又は顎骨への埋入を従来と同様に円滑に行うことができる。
【０００８】
また、上記人工歯根本体に備える上記ねじ孔は、該ねじ孔に螺合される上記固定補助手段が、上記人工歯根本体の基端から先端に延びる軸方向に対して、先端方向でかつ斜め方向となるように開けられ、上記人工歯根本体の軸方向と、上記ねじ孔に螺合される上記固定補助手段の軸方向とのなす角度が１０〜６０度である場合は、人工歯根本体の軸方向と固定補助手段の軸方向とのなす角度が鋭角であることから、固定補助手段を回転させて人工歯根から歯槽骨又は顎骨へ埋入する作業を簡便且つ確実に行うことができる。
また、ねじ孔が人工歯根本体の側壁部に設けられる場合は、固定補助手段を歯槽骨又は顎骨の量及び厚み、並びにあごの骨のくびれなどの形態にあわせて自由に、歯槽骨又は顎骨への埋入をすることができ、固定の強化を図ることができる。
また、ねじ孔が人工歯根本体の基端部に設けられる場合は、固定補助手段をインプラントの長軸方向に対して垂直に突出させることができる。この場合、固定補助手段が歯槽骨又は顎骨の中でも比較的硬い皮質骨に食い込むことができるので、固定の強化を図ることができる。
また、ねじ孔が人工歯根本体の先端部に設けられる場合は、固定補助手段をインプラントの長軸方向に対して斜めに突出させることにより、人工歯根が全体として屈曲したような形状になる。これにより、固定の強化を図ることができる。
また、ねじ孔が複数である場合は、複数の固定補助手段を備えることができるので、より固定の強化を図ることができる。
【０００９】
更に、ねじ孔が複数であり、ねじ孔の各々が放射状に且つ周方向に均一に開口されている場合は、複数の固定補助手段が周方向に等分に配置されることにより、人工歯根にかかる応力が分散され、固定の強化を図ることができる。
また、人工歯根本体の基端部に固定補助手段の突出方向を示す方向指示マークが形成されている場合は、人工歯根本体を歯槽骨又は顎骨に埋入する際に、固定補助手段の突出方向を適正にして人工歯根の回転させる向きを容易に決定することができる。
また、本発明の歯科用インプラントは、上記の人工歯根と、該人工歯根本体の基端部側の端に固定されるアバットメントと、該アバットメントに固定される歯冠とを有することから、固定強度を高め、安定期間を大幅に短縮した歯科用インプラントとすることができる。
更に、歯科用インプラントの寿命を延ばすことができる。
【発明を実施するための最良の形態】
【００１０】
〔１〕人工歯根
本実施形態に係る人工歯根は、固定補助手段と、ねじ孔とを備えている。
上記「人工歯根」は、歯槽骨又は顎骨に埋入されて固定されるものである限り、その構造、大きさ、形状、材質、数量などは特に限定されない。この人工歯根本体の基端部に固定補助手段の突出方向を示す方向指示マークが形成されるようにできる。
上記「固定補助手段」は、人工歯根本体に備えられると共に、歯槽骨又は顎骨との固定を強化するものである限り、その構造、大きさ、形状、材質、数量などは特に限定されない。この固定補助手段はねじ状体で、人工歯根本体の内部から外部に向けて突出するようにできる。
上記「ねじ孔」は、ねじ状体の固定補助手段が人工歯根本体の内部から外部に向けて突出でき、その固定補助手段が人工歯根本体に螺合されるものであれば、数、方向、口径などは特に限定されない。また、このねじ孔は人工歯根本体の先端部から基端部の任意の位置に設計に応じて適宜配置させることができる。
尚、上記ねじ孔は、ねじ状体の固定補助手段が人工歯根本体から歯槽骨又は顎骨に向けて突出でき、その固定補助手段が歯槽骨又は顎骨と人工歯根本体とを固定するものであれば、内ねじのねじ山を有しない挿入孔であっても構わない。
【００１１】
〔２〕歯科用インプラント
本実施形態に係る歯科用インプラントは、人工歯根と、アバットメントと、歯冠と、を備えている。
上記「人工歯根」は、上記固定補助手段、及び上記ねじ孔を備えるものであり、上述の通りである。
上記「アバットメント」は、人工歯根に結合されると共に歯冠が固定されるものである限り、その構造、大きさ、形状、材質、数量などは特に限定されない。
上記「歯冠」は、アバットメントに結合されるものである限り、その構造、大きさ、形状、材質、数量などは特に限定されない。
【実施例】
【００１２】
以下、図面を用いて実施例により本発明を具体的に説明する。
（１）実施例の構成
本実施例に係る人工歯根は、図１に示すように、外周面に形成された外ねじ部６と、基端部７から先端部８に向けて形成された内ねじを有する受容孔９と、歯槽骨又は顎骨２との固定を強化する固定補助手段１０と、を備えている。この人工歯根本体３はチタン製であり、外ねじ部６を歯槽骨又は顎骨２にねじ込むことにより埋入されて固定される。
上記人工歯根本体の材質は、特に限定されないが、セラミック、チタン及びチタン合金等が挙げられ、これらのうちチタン及びチタン合金が好ましい。
また、人工歯根本体３は、アバットメント４が固定される受容孔９を備えており、先端が封鎖された筒体となっている。受容孔９は人工歯根本体３にアバットメント４を固定するための止めねじ１３が螺合されるものである。
本実施例に係る歯科用インプラント１は、図１に示すように、歯槽骨又は顎骨２に埋入されて固定される人工歯根３本体と、該人工歯根本体３に結合されるアバットメント４と、該アバットメント４に結合される歯冠５と、を有する。
【００１３】
固定補助手段１０はねじ状体である。そして、人工歯根本体３の側壁部には、人工歯根本体３の内外を貫通すると共に固定補助手段１０が螺合されるねじ孔１１が形成されている。
ここで、側壁部とは、基端部７と先端部８との間の部分をいう。即ち、人工歯根本体３が筒体である場合、その筒体を形成する側壁部であって、人工歯根本体３の長軸方向に形成され、且つ外ねじ部６を備えている側壁部の部分である（以下、同様）。
固定補助手段１０が螺合されるねじ孔１１の向きは、固定補助手段１０を人工歯根本体３の受容孔９の基端部７側から挿入して螺合可能な角度に設定している。具体的には、上記人工歯根本体３に備える上記ねじ孔１１は、該ねじ孔１１に螺合される上記固定補助手段１０が、上記人工歯根本体３の基端から先端に延びる軸方向に対して、先端方向でかつ斜め方向となるように開けられており、上記人工歯根本体３の軸方向と、上記ねじ孔に螺合される上記固定補助手段の軸方向とのなす角度が１０〜６０度程度の範囲が好ましく、より好ましくは３０〜４５度である。
【００１４】
上記固定補助手段１０の長さは、特に限定されないが、人工歯根本体３の軸方向の長さ対して、人工歯根本体３の軸方向の長さの０．１〜１．５倍の長さが好ましく、０．３〜０．８倍の長さがより好ましい。
また、固定補助手段１０の材質は、特に限定されないが、チタン及びチタン合金が好ましい。
【００１５】
また、ねじ孔１１の口径及び固定補助手段１０の直径は、受容孔９の口径よりも短い長さで設定されている。これにより、固定補助手段１０は受容孔９を経て、人工歯根本体３の内部から外部に向けて、ねじ孔１１から螺挿により歯槽骨又は顎骨２に埋め込むことができる。
また、ねじ孔１１は２個設けられ、ねじ孔１１に螺合される固定補助手段１０は２本設けられている。
尚、固定補助手段１０を複数にする場合の人工歯根に備えるねじ孔１１及び固定補助手段１０の数は、２〜８の範囲が好ましく、より好ましくは２〜４である。この固定補助手段１０を複数にする場合のねじ孔１１及び固定補助手段１０の数は、処置が施される歯槽骨又は顎骨の状態等により任意に選択される。
【００１６】
更に、図２に示すように、各固定補助手段１０及びねじ孔１１ついて、一方の固定補助手段１０及びねじ孔１１は、他方の固定補助手段１０及びねじ孔１１の反対側に位置するように配置されている。即ち、図２及び図３に示すように、図各固定補助手段１０及びねじ孔１１が複数である場合に、ねじ孔の各々が放射状に且つ周方向に均一に開口されるのが好ましい。これにより、複数の固定補助手段１０を備える場合、人工歯根本体３を歯槽骨又は顎骨２に埋め込む際の回転させる周方向において、等分に配置される。
【００１７】
人工歯根３の基端部７には、図２及び図３に示すように、固定補助手段１０の突出方向を示す方向指示マーク１２が形成されている。
また、図２及び図３では、方向指示マーク１２は直線からなるが、方向指示マーク１２は固定補助手段１０の突出方向が示されるものであれば、特に限定されない。例えば、方向指示マークの形状は、直線、丸形、三角形、四角形、菱形及び矢印形等の形状が挙げられる。更に、上記方向指示マークを基端部に形成する方法は特に限定されない。例えば、印刷等により着色等を施すことにより形成することも、基端部に上記形状を彫り込むことにより形成することもできる。また、それらを組み合わせることもできる。
【００１８】
本実施例に係る歯科用インプラント１は、図１に示すように、アバットメント４が止めねじ１３により人工歯根本体３に固定される。人工歯根本体３は内ねじを有する受容孔９を備え、止めねじ１３を人工歯根本体３の受容孔９に螺合させることにより、アバットメント４は人工歯根本体３の基端部側の端に固定される。更に、アバットメント４に対して固定ねじ１４により歯冠５が固定される。これらアバットメント４及び歯冠５については既知のあるいは新規の構造のものを適宜利用することができる。
【００１９】
（２）実施例の作用
上述した実施例に係る人工歯根本体３及び歯科用インプラント１を歯槽骨又は顎骨２に装着する手順について説明する。
人工歯根本体３のねじ穴１１に予め固定補助手段１０を螺合しておく。この時、固定補助手段１０の先端部は人工歯根本体３の外部に突出しないようにしておく。この状態で、人工歯根本体３を歯槽骨又は顎骨２に対してねじ込んで埋入する。そして、人工歯根本体３の基端部７の方向指示マーク１２が歯槽骨又は顎骨２に対して神経を避ける等、適正な位置になるようにしてねじ込みを停止させる。
ここで、必要に応じて歯槽骨又は顎骨２に対してドリリングの後、固定補助手段１０をねじ込み、人工歯根本体３の外部に突出させると共に受容孔９の内ねじに干渉しないようにする。
尚、上記ドリリングはねじ孔１１を介して行い、その場合、ねじ孔１１はねじ山を有しない挿入孔が好ましい。
更に、人工歯根本体３にアバットメント４を装着して止めねじ１３で固定する。そして、アバットメント４に歯冠５を装着して固定ねじ１４で固定する。
【００２０】
（３）実施例の効果
本実施例によれば、人工歯根本体３に歯槽骨又は顎骨２との固定を強化する固定補助手段１０を設けているので、人工歯根の固定強度を高めることができる。しかも、従来のように人工歯根を増加することがないので、大型化することを抑制できる。
また、人工歯根本体３の基端部７に固定補助手段１０の突出方向を示す方向指示マーク１２が形成さているので、人工歯根本体３を歯槽骨又は顎骨２に埋入する際に、固定補助手段１０の突出方向を適正にして人工歯根本体３の回転させる向きを容易に決定することができる。
更に、人工歯根本体３は先端が封鎖された筒体であり、固定補助手段１０を人工歯根本体３の受容孔９の基端部７側から挿入して螺合可能な角度に設定しているので、長い固定補助手段１０を設けることができ、固定力を高めることができる。
そして、人工歯根本体３が歯槽骨又は顎骨２に対して垂直に埋入されているので、装着後の歯冠５への咬合力を真っ直ぐに受けることができる。
【００２１】
また、本発明においては、上記実施例に限られず、目的、用途に応じて本発明の範囲内で種々変更した実施例とすることができる。
即ち、上記実施例では、固定補助手段１０を人工歯根本体３の側壁部に設けているが、これに限定されず、例えば、図４に示すように人工歯根本体３の先端部８に設けるようにしてもよい。この場合、固定補助手段１０を人工歯根本体３の長軸方向に対して斜めに突出させることにより（図４（Ｂ）参照）、人工歯根が全体として屈曲したような形状になるので、固定の強化を図ることができる。なお、この場合、固定補助手段１０を回転させるためには所謂フレキシブル軸を備えたドライバーを使用することが好ましい。
あるいは、例えば、図５に示すように、固定補助手段１０を人工歯根本体３の基端部７に設けるようにしてもよい。この場合、固定補助手段１０を人工歯根本体３の長軸方向に対して垂直に突出させることができる（図５（Ｂ）参照）。これにより、固定補助手段１０を歯槽骨又は顎骨２の表層の比較的硬い皮質骨に食い込ませることができるので、固定の強化を図ることができる。
【００２２】
また、上記実施例では、人工歯根本体３が歯槽骨又は顎骨２に対して垂直に埋入されているが、これに限定されず、例えば、図６に示すように、斜めに埋入するようにしてもよい。この場合、固定補助手段１０を垂直にするように設定することにより、咬合力を固定補助手段１０により受けることができる。この場合、固定補助手段１０の長さを適宜短くすることにより、神経に接触することを回避できる。これにより、人工歯根本体３を斜めにするＡｌｌ  ｏｎ  ４などの施術法に適用した際にも有効に固定力を高めることができる。
【００２３】
更に、人工歯根本体３に備える受容孔９の口径を小さくした場合等には、図７に示すように、固定補助手段１０が螺合されるねじ孔１１を人工歯根本体３の基端部７に設けて、固定補助手段１０を人工歯根本体３の内外を貫通せずに設けるようにしてもよい。この場合も、上記人工歯根本体３に備える上記ねじ孔１１は、該ねじ孔１１に螺合される上記固定補助手段１０が、上記人工歯根本体の基端から先端に延びる軸方向に対して、先端方向でかつ斜め方向となるように開けられており、上記人工歯根の軸方向と、上記ねじ孔に螺合される上記固定補助手段の軸方向とのなす角度が１０〜６０度程度の範囲が好ましく、より好ましくは３０〜４５度である。また、固定補助手段１０を複数にする場合、ねじ孔の各々が放射状に且つ周方向に均一に開口されるのが好ましい。
尚、この場合は、固定補助手段１０の直径は、受容孔９の口径よりも大きい直径とすることができる。
【００２４】
更に、上記実施例は、図１に示すように、人工歯根、アバットメント及び歯冠を備える３ピース型の歯科用インプラントであるが、これに限定されず、図８に示すように、人工歯根とアバットメントとが一体となっている２ピース型の歯科用インプラントであってもよい。
【００２５】
また、人工歯根本体３に備える受容孔９の口径を小さくし、人工歯根本体３の形状が筒体でない場合には、図９に示すように、固定補助手段１０が螺合されるねじ孔１１が人工歯根本体３を貫通するように設けてもよい。この場合、人工歯根本体３における、固定補助手段１０が挿入されるねじ孔１１の開口位置は特に限定されないが、人工歯根本体３を歯槽骨又は顎骨２に対して埋入した後、固定補助手段１０は人工歯根本体３を貫通し、歯槽骨又は顎骨２に対して埋入されるため、人工歯根本体３を歯槽骨又は顎骨２に対して埋入した際に、歯槽骨又は顎骨２から露出する人工歯根本体３の部分に、固定補助手段１０が挿入されるようにねじ孔１１の開口位置を設けられるのが好ましい。
また、この場合も、上記人工歯根本体３に備える上記ねじ孔１１は、該ねじ孔１１に螺合される上記固定補助手段１０が、上記人工歯根本体の基端から先端に延びる軸方向に対して、先端方向でかつ斜め方向となるように開けられており、上記人工歯根の軸方向と、上記ねじ孔１１に螺合される上記固定補助手段の軸方向とのなす角度が１０〜６０度程度の範囲が好ましく、より好ましくは３０〜４５度である。
【産業上の利用可能性】
【００２６】
人工歯根を歯槽骨又は顎骨に固定する技術として広く適用可能であり、特に、その固定力の強化を図る歯科用インプラントとして好適である。
本発明の人工歯根は、人工歯根の固定力を強化することにより、人工歯根と歯槽骨又は顎骨との結合を養生するための安定期間を大幅に短縮し、更に、歯科用インプラントの寿命を延ばすものとして好適である。
また、本発明のインプラント等は、歯槽骨又は顎骨以外にも好適に用いられ、歯科用以外の医療用インプラントにも利用することができる。
【図面の簡単な説明】
【００２７】
【図１】本実施例に係る人工歯根及び歯科用インプラントを示す分解組立図である。
【図２】人工歯根に形成された２個の方向指示マークと突出した２本の固定補助手段とを示す平面図である。
【図３】人工歯根に形成された３個の方向指示マークと突出した３本の固定補助手段とを示す平面図である。
【図４】他の実施例に係る人工歯根を示す縦断面正面図であり、（Ａ）は固定補助手段の突出前、（Ｂ）は突出後を示す。
【図５】他の実施例に係る人工歯根を示す縦断面正面図であり、（Ａ）は固定補助手段の突出前、（Ｂ）は突出後を示す。
【図６】人工歯根本体を斜めに設け、固定補助手段を垂直にするように設定した人工歯根を示す図である。
【図７】他の実施例に係る人工歯根を示す縦断面正面図である。
【図８】他の実施例に係る２ピース型の歯科用インプラントに係る人工歯根及び歯科用インプラントを示す分解組立図である。
【図９】他の実施例に係る人工歯根を示す縦断面正面図であって、２ピース型の歯科用インプラントに係る人工歯根及び歯科用インプラントを示す分解組立図である。
【図１０】特許文献１に記載の歯科用インプラントを示す概略図である。
【符号の説明】
【００２８】
１；歯科用インプラント、２；歯槽骨又は顎骨、３；人工歯根本体、４；アバットメント、５；歯冠、６；人工歯根の外ねじ部、７；人工歯根の基端部、８；人工歯根の先端部、９；受容孔、１０；固定補助手段、１１；ねじ孔、１２；方向指示マーク、１３；止めねじ、１４；固定ねじ。
【図１】
2009233179.tif 000003
【図２】
2009233179.tif 000004
【図３】
2009233179.tif 000005
【図４】
2009233179.tif 000006
【図５】
2009233179.tif 000007
【図６】
2009233179.tif 000008
【図７】
2009233179.tif 000009
【図８】
2009233179.tif 000010
【図９】
2009233179.tif 000011
【図１０】
2009233179.tif 000012